(57)【要約】【課題】ドアを開けて操作する手動操作式商品搬出機構を備えたときには、悪戯を防止するために、必要なときにのみドアが開けてもらいたい。【解決手段】ドアスイッチ部４９からドアの開閉信号を受け取り、閉から開に切り替わるとドア開報知信号を出力して赤ランプ２３を点滅させ、共通バスライン３５上に存在する電力情報を受け取り、切断から再接続に切り替わると、電源切断報知信号を出力し、緑ランプ２５を点滅させる。点滅は、ルートマンの報知解除指令があれば終了する。従って、ドアを開けたりすると、ランプが点滅して証拠が残るので、抑止力を働かせることができる。【選択図】        図３
2015118657.tif 000002
【特許請求の範囲】
【請求項１】
開口を有する本体キャビネットと、前記本体キャビネットの開口を開閉自在に閉鎖するドアと、前記ドアの開閉を検出するドアスイッチと、主制御部から共通バスラインを介して制御される通常時商品排出機構とを含む自動販売機において、
前記ドアを開いて操作する停電時商品排出機構の他に、
報知解除指令部と、
前記ドアスイッチからドアの開閉信号を受け取り、閉から開に切り替わるとドア開報知信号を出力し、前記共通バスライン上に存在する電力情報を受け取り、切断から再接続に切り替わると、電源切断報知信号を出力し、前記報知解除指令部から報知解除指令を受け取ると、終了信号を出力する報知処理部と、
前記報知処理部からの出力信号を受け取ると、駆動される発光部を有し、
前記報知信号により前記発光部のランプを点灯または点滅させ、前記終了信号により前記点灯または点滅を終了させるドア開抑止機構を備えることで、抑止力を働かせて必要の無いときに前記ドアを開かせないよう構成したことを特徴とする停電時対応型自動販売機。
【請求項２】
請求項１に記載した停電時対応型自動販売機において、
発光部は、ドア開報知信号と電源切断報知信号に分けて各別に設けられていることを特徴とする自動販売機。
【請求項３】
請求項１または２に記載した停電時対応型自動販売機において、
報知解除指令部は、暗証番号の入力を受け付けると、報知解除指令を発することを特徴とする自動販売機。
【請求項４】
請求項１から３のいずれかに記載した停電時対応型自動販売機において、
発光部のランプはドアを閉じた状態で外側から視認可能に配置されたことを特徴とする自動販売機。
【請求項５】
請求項１から４のいずれかに記載した停電時対応型自動販売機において、
報知処理部はプログラムによって構成されていることを特徴とする自動販売機。
【請求項６】
請求項１から５のいずれかに記載した停電時対応型自動販売機において、
報知処理部は、報知対象外と判定したときには、報知信号を出力しないことを特徴とする自動販売機。
【請求項７】
請求項６に記載した停電時対応型自動販売機において、
報知対象外の判定は、ブルートゥースモジュールを利用して行うことを特徴とする自動販売機。
【発明の詳細な説明】
【技術分野】
【０００１】
本発明は飲料缶等の商品の自動販売機に係り、特に震災等で電力の供給が停止した場合でも商品を取り出すことができる停電時対応型自動販売機に関するものである。
【背景技術】
【０００２】
通常、自動販売機内では、本体キャビネット内で上下方向に延びた商品収容通路に商品が一列に積み重なった状態で収容されており、待機中は商品収容通路にストッパが進行して商品の下方への移動は規制されているが、コインや紙幣が投入されると、当該ストッパが後退して商品の下方への移動が許容され、落下移動した商品が商品取出し口に排出されるように構成されている。
このストッパは、電力を駆動源とするソレノイドにより駆動されて後退動作するので、震災等の災害時に停電するとソレノイドが作動せず、自動販売機から商品を取り出すことができなくなる。
【０００３】
而して、最近では、自動販売機を備蓄倉庫として活用して、震災等の非常時に対応させることが提案されている。この提案に応えて、電力を供給できないときでも、手動操作によって自動販売機から商品を取り出すことができる手動操作式商品搬出機構を備えた自動販売機が開発され、これが特許文献１に記載されている。
通常、自動販売機は、ストッパ側にフック部を設け、このフック部をソレノイドのプランジャの下端部に引っ掛けてソレノイドからの駆動力を受けて上動するようになっていることから、この特許文献１では、ワイヤーをこのフック部に引っ掛けながら巻き回し、ワイヤーの他端部に設けられた摘み部を引張って下げると、フック部を持ち上げられるように工夫されている。
【先行技術文献】
【特許文献】
【０００４】
【特許文献１】特開２０１２−６８９２５号公報
【発明の概要】
【発明が解決しようとする課題】
【０００５】
而して、保安上、掴み部は自動販売機の内部に設けているので、使用するときには、ドアを開かなればならない。
そのためは、停電時にドアを開けられるように、商品を定期的に補充するルートマンだけでなく、停電時対応者、通常は設置先管理者にもドアの鍵を預けることになるが、内部には各種制御部が収容されていることもあり、この設置先管理者がドアを開けるのも停電時等必要最小限に留めたい。
【０００６】
本発明は上記従来の問題に着目して為されたものであり、必要の無いときにはドアを開かせないよう、ドア開抑止機構を備えた自動販売機を提供することを、その目的とする。
【課題を解決するための手段】
【０００７】
本発明は上記課題を解決するためになされたものであり、請求項１の発明は、開口を有する本体キャビネットと、前記本体キャビネットの開口を開閉自在に閉鎖するドアと、前記ドアの開閉を検出するドアスイッチと、主制御部から共通バスラインを介して制御される通常時商品排出機構とを含む自動販売機において、前記ドアを開いて操作する停電時商品排出機構の他に、報知解除指令部と、前記ドアスイッチからドアの開閉信号を受け取り、閉から開に切り替わるとドア開報知信号を出力し、前記共通バスライン上に存在する電力情報を受け取り、切断から再接続に切り替わると、電源切断報知信号を出力し、前記報知解除指令部から報知解除指令を受け取ると、終了信号を出力する報知処理部と、前記報知処理部からの出力信号を受け取ると、駆動される発光部を有し、前記報知信号により前記発光部のランプを点灯または点滅させ、前記終了信号により前記点灯または点滅を終了させるドア開抑止機構を備えることで、抑止力を働かせて必要の無いときに前記ドアを開かせないよう構成したことを特徴とする停電時対応型自動販売機である。
【０００８】
請求項２の発明は、請求項１に記載した停電時対応型自動販売機において、発光部は、ドア開報知信号と電源切断報知信号に分けて各別に設けられていることを特徴とする自動販売機である。
【０００９】
請求項３の発明は、請求項１または２に記載した停電時対応型自動販売機において、報知解除指令部は、暗証番号の入力を受け付けると、報知解除指令を発することを特徴とする自動販売機である。
【００１０】
請求項４の発明は、請求項１から３のいずれかに記載した停電時対応型自動販売機において、発光部のランプはドアを閉じた状態で外側から視認可能に配置されたことを特徴とする自動販売機である。
【００１１】
請求項５の発明は、請求項１から４のいずれかに記載した停電時対応型自動販売機において、報知処理部はプログラムによって構成されていることを特徴とする自動販売機である。
【００１２】
請求項６の発明は、請求項１から５のいずれかに記載した停電時対応型自動販売機において、報知処理部は、報知対象外と判定したときには、報知信号を出力しないことを特徴とする自動販売機である。
【００１３】
請求項７の発明は、請求項６に記載した停電時対応型自動販売機において、報知対象外の判定は、ブルートゥースモジュールを利用して行うことを特徴とする自動販売機である。
【発明の効果】
【００１４】
本発明の自動販売機によれば、ドアを開けたり、またはその行為が有った可能性があれば、報知されるので、ドアを無暗に開かせないよう、抑止力を働かせることができる。
【図面の簡単な説明】
【００１５】
【図１】本発明の実施の形態に係る自動販売機の内部の説明図である。
【図２】図１の自動販売機の正面図である。
【図３】図１の自動販売機の電気的ブロック部である。
【図４】図３のドア開抑止機構の<ルートマンの登録>の処理説明図である。
【図５】図３のドア開抑止機構の<暗号の登録>の処理説明図である。
【図６】図３のドア開抑止機構の<設置先管理者が外扉を開けた>ときの処理説明図である。
【図７】図３のドア開抑止機構の<設置先管理者が電源を切断し、その後再接続した>ときの処理説明図である。
【図８】図３のドア開抑止機構の<報知解除>するときの処理説明図である。
【図９】図３のドア開抑止機構の<ルートマンを報知除外>するときの処理説明図である。
【発明を実施するための形態】
【００１６】
本発明の実施の形態に係る停電時対応型自動販売機１を図面にしたがって説明する。
この自動販売機１は、既存の自動販売機に後付けで部品を取り付けて手動式の停電時商品搬出機構を備えさせたものである。
図１に示すように、符号３は本体キャビネットを示し、この本体キャビネット３はボックス状を為し、前面が開口している。この本体キャビネット３には上下方向に延びる商品収容通路５が左右前後方向に複数設けられており、各商品収容通路５には商品、この実施の形態では飲料缶Ｃが横倒され、上下方向に一列に積み重ねられて収容されている。この商品収容通路５の上方が飲料缶Ｃの商品補充部７になっている。また、商品収容通路５の下端には隙間をあけて商品排出シュート９が連設されている。
【００１７】
本体キャビネット３の左側縁部には内扉１１と外扉１３とが回動自在に連結されている。外扉１３の下部には商品取出口１５が設けられており、商品収容通路５から商品排出シュート９を介して搬出された飲料缶は内扉１１の下部に形成された開口（図示省略）を通って、外扉１３の商品取出口１５に排出される。
外扉１３側にはドアスイッチ１７が配設されており、外扉１３が閉じると、ドアスイッチ１７が押下されるようになっている。
【００１８】
この自動販売機１の電気駆動式商品排出機構は、ソレノイドを利用しており、ソレノイドの通電によるフック部（図示省略）の上動により飲料缶Ｃを載せたストッパが商品収容通路５内から後退して飲料缶Ｃが排出される。一方、手動式商品排出機構は、特許文献１に記載のものであり、摘み部１９を引張り下げると、フック部の上動により、同じように飲料缶Ｃが排出されるように構成されている。
【００１９】
図２に示すように、自動販売機１の外扉１３を閉じたときに正面にくる商品展示部２１にＬＥＤの赤ランプ２３と、緑ランプ２５が配設されており、自動販売機１の前に立った人が視認可能になっている。
【００２０】
この自動販売機１の電気的構成は、図３に示すようになっている。
符号２７は主制御部を示す。この主制御部２７は自動販売機１の全体の動作を統括して制御するものであり、ＣＰＵ、ＲＯＭ、ＲＡＭ、周辺回路を含んで構成され、信号制御部２９をプログラム的に実現しており、この信号制御部２９内に、報知処理部３１が含まれている。また、特徴的なこととして、ブルートゥース（Bluetooth（登録商標））モジュール３３を備えている。
【００２１】
主制御部２７は、共通バスライン３５を介して従制御部となる端末装置群と接続されており、共通バスライン３５には情報信号と電力が重畳して存在している。
端末装置群も、ＣＰＵ、ＲＯＭ、ＲＡＭを含んで構成されており、主なものとして、コインメカを制御するコイン処理部３７、ビルバリを制御する紙幣処理部３９、販売中・販売中止の表示や商品選択ボタンの選択を受け付ける接客部４１、飲料缶Ｃの排出を制御する販売部４３、飲料缶Ｃの種類と商品収容通路５との対応付けや値段などの設定を受け付ける設定部４５が挙げられる。設定部４５はテンキー４７と接続されている。
【００２２】
また、ドアスイッチ部４９とも接続されており、このドアスイッチ部４９には上記したドアスイッチ１７（図１）が接続されており、誤作動防止も含めて、外扉１３が開いたときにのみ、上記した設定部４５の利用が可能となっている。これらの構成は、既存の自動販売機に共通のものである。
さらに、本発明の特徴的なこととして、発光部（赤）５１、発光部（緑）５３が接続されており、それぞれ、上記した赤ランプ２３、緑ランプ２５が備えられている。
【００２３】
電源として、商用電源が利用されており、プラグ５５付きの電源ケーブル５７が自動販売機１の外に引き出されており、このプラグ５５をコンセントに差し込むと、商用電源が自動販売機１側と接続される。
符号５９は電源部を示し、商用電源はこの電源部５９で所定の電源に調整されて、主制御部２７や、共通バスライン３５に供給されるようになっている。この構成も、既存の自動販売機に共通のものである。
【００２４】
上記した電気的構成で、本発明の特徴を成すドア開抑止機構は、細線枠で囲まれた主制御部２７側のブルートゥースモジュール３３、報知処理部３１、従制御部側の共通バスライン３５、ドアスイッチ部４９、発光部（赤）５１、発光部（緑）５３で構成されている。
報知処理部３１は、ブルートゥースモジュール３３、ドアスイッチ部４９から探索信号やドア開閉信号を受け取り、共通バスライン３５から電力情報を受け取り、これらのデータ信号を基に、発光部（赤）５１、発光部（緑）５３に向けて制御信号を出力するようになっている。
以下、この報知処理部３１を利用した、処理内容を説明する。
【００２５】
まず、事前処理内容を説明する。
<ルートマンの登録>（図４）
自動販売機１のブルートゥースモジュール３３を探索モードにして、ルートマンの所持するスマートフォン、すなわちブルートゥースデバイス６０との間に通信を確立させ、スマートフォン側と自動販売機１の設定部４５側のテンキー４７の操作によりペアリング処理して、ルートマンのブルートゥースデバイス６０の機器情報を報知除外用データとしてペアリング登録部６１に登録する。これにより、ルートマンとそれ以外の鍵保持者、通常は設置先管理者とで、対応処理を分けることができるようになっている。
<暗号の登録>（図５）
また、ルートマンによる設定部４５のテンキー４７の操作により、暗証番号を入力し、報知解除信号用の暗証番号（例：１２３４）を暗号番号登録部６２に登録しておく。
【００２６】
次に、報知処理内容を説明する。
<設置先管理者が外扉を開けた→赤ランプの点滅報知>（図６）
設置先管理者が鍵（図示省略）を開錠して、外扉１３を開くと、ドアスイッチ１７の押下状態が解除され、ドアスイッチ部４９から出力されたドア開信号が共通バスライン３５を介して、報知処理部３１に送られる。
その場合、報知処理部３１は、ドア開信号、すなわち赤ランプ点滅信号を生成し、共通バスライン３５を介して、発光部（赤）５１に送り、赤ランプ２３を点滅させる。従って、その後外扉１３を閉じても、開けたことが後からでも分かる。
【００２７】
<設置先管理者が電源を切断し、再接続した→緑ランプの点滅報知>（図７）
設置先管理者がプラグ５５を抜いて商用電源を切断し、その後再接続した場合には、共通バスライン３５から、電源の切断・再接続情報が送られる。
従って、報知処理部３１は、電源切断信号を生成して、共通バスライン３５を介して、発光部（緑）５３に送り、緑ランプ２５を点滅させる。従って、一旦電源を切断すれば、その後再接続させても、切断したことが後からでも分かる。電源が切断されたときには、ドアスイッチからの信号を受け取れないので、切断中に、外扉１３が開けられても赤ランプ２３は点滅しないが、代わりに、緑ランプ２５が点滅するので、その行為が有った可能性があることが外部に報知される。
【００２８】
<ルートマンによる報知解除>（図８）
一旦点滅を開始した後は、報知解除処理しか受け付けない。このモードで、ルートマンＡが外扉１３を開けて、テンキー４７に暗証番号（例：１２３４）を入力すると、報知解除信号を出力して、赤・緑ランプ２３、２５の発光部５１、５３に消灯処理させる。電源の切断・再接続の後に外扉１３を開閉すると、緑ランプ２５と赤ランプ２３の両方が点滅するが、この処理により両方とも消灯する。
<ルートマンによる通常の商品補充処理>（図９）
ブルートゥースモジュール３３は、ブルートゥースデバイス（を所持した人）が探索範囲に入ると、自動的に通信を行い、そのブルートゥースデバイスの機器情報を受け取る。
そして、その機器情報がペアリング登録部６１に予め登録した機器情報と一致した場合のみ、報知対象から除外される。
ルートマンの所持するブルートゥースデバイス６０は、予め登録されているので、外扉１３を開けても報知信号は生成されない。従って、上記したような報知解除処理は不要である。
【００２９】
上記のように、報知処理部３１を利用すると、外扉１３を開けたり、電源を切断したりすると、その後に、元に戻しても、赤ランプ２３や緑ランプ２５が点滅し続け、暗号番号を知っている者だけが赤ランプ２３、緑ランプ２５の点滅を終了できるので、抑止力が働いて、設置先管理者は、鍵を所持していても、外扉１３を無暗に開いたりしなくなる。
また、ルートマンが商品補充の度に外扉１３を開くが、その際にはランプが点滅しないので、ルートマンのルーティン作業に負担はかけずに済む。
【００３０】
また、ブルートゥースモジュール３３や発光部５１、５３を既存の自動販売機に付設することで、本発明の自動販売機を構築できるので、手動式商品排出機構との併用で、コスト的にも有利で、しかも付加価値の高いものとできる。
【００３１】
以上、本発明の実施の形態について詳述してきたが、具体的構成は、この実施の形態に限られるものではなく、本発明の要旨を逸脱しない範囲における設計の変更などがあっても発明に含まれる。
例えば、ランプは点滅させても点灯させてもよい。
また、インターネット通信部を設けて、報知信号を出力するときには、報知メールをルートマン等に向けて発するよう構成することもできる。
【産業上の利用可能性】
【００３２】
本発明の自動販売機によれば、電気駆動式商品搬出機構を備えた自動販売機に後付けでドア開抑止機構を備えさせることができる。
【符号の説明】
【００３３】
１‥‥停電時対応型自動販売機
３‥‥本体キャビネット                ５‥‥商品収容通路
７‥‥商品補充部                      ９‥‥商品排出シュート
１１‥‥内扉                          １３‥‥外扉
１５‥‥商品取出口                    １７‥‥ドアスイッチ
１９‥‥摘み部                        ２１‥‥商品展示部
２３‥‥赤ランプ                      ２５‥‥緑ランプ
２７‥‥主制御部                      ２９‥‥信号制御部
３１‥‥報知処理部                    ３３‥‥ブルートゥースモジュール
３５‥‥共通バスライン                ３７‥‥コイン処理部
３９‥‥紙幣処理部                    ４１‥‥接客部
４３‥‥販売部                        ４５‥‥設定部
４７‥‥テンキー                      ４９‥‥ドアスイッチ部
５１‥‥発光部（赤）                  ５３‥‥発光部（緑）
５５‥‥プラグ                        ５７‥‥電源ケーブル
５９‥‥電源部
Ｃ‥‥飲料缶
【図１】
2015118657.tif 000003
【図２】
2015118657.tif 000004
【図３】
2015118657.tif 000005
【図４】
2015118657.tif 000006
【図５】
2015118657.tif 000007
【図６】
2015118657.tif 000008
【図７】
2015118657.tif 000009
【図８】
2015118657.tif 000010
【図９】
2015118657.tif 000011